(57)【特許請求の範囲】
【請求項１】
複数の鍵盤を直線状に配列した鍵盤部を有して、押鍵された鍵盤に対応する発音動作を行うように構成された電子鍵盤楽器において、
前記鍵盤部の内の特定の複数鍵を同時に押鍵した状態である同時押鍵状態にあることを検出する同時押鍵検出手段と、
前記同時押鍵状態とするのに関与する、前記特定の複数鍵盤の押鍵に対する発音が行われない発音阻止状態とする発音阻止手段と、
前記同時押鍵検出手段が前記同時押鍵状態を検出した場合に、発音の音色設定を含む各種の音楽パラメータの設定が可能な設定モードに移行したことを、押鍵操作によって発音される音とは異なる電子音で通知する通知手段と、を備え、
前記同時押鍵検出手段は、
前記特定の複数鍵の内のいずれかの鍵が押鍵された後に所定期間が経過したか否かを判定する判定機能と、
この所定間内の前記特定の複数鍵の残りの鍵が押鍵された場合に前記同時押鍵状態か否かを判定する処理を継続させる一方、これ以外の場合にはもはや同時押鍵状態にないとする処理を継続する処理制御機能と、
前記処理制御機能により継続される前記同時押鍵状態にないとする処理として、少なくとも、前記発音阻止手段によって前記発音阻止状態とされた当該発音阻止状態を解除して発音させる、発音阻止状態解除機能と、を含み、
前記同時押鍵検出手段が前記同時押鍵状態を検出した場合に前記設定モードに移行させる一方、この同時押鍵状態にあるいずれかの鍵が離鍵された場合に通常の押鍵発音動作を行う通常演奏モードに復帰させ、
前記設定モードにおいては、前記鍵盤部の鍵盤を押鍵操作することによって、前記音色設定を含む各種の音楽パラメータの設定操作を行えるように構成したことを特徴とする電子鍵盤楽器。
【請求項２】
請求項１に記載の電子鍵盤楽器において、
前記同時押鍵検出手段は、
前記鍵盤部の端の３個の鍵盤の内のいずれか１つが押鍵された後、第１の期間内に、前記端３個の鍵盤の残りの２鍵の内のいずれか１つが押鍵され、更に、この押鍵から第２の期間内に、前記端３個の鍵盤の残りの１鍵の押鍵を検出すると、前記同時押鍵状態にあることを検出したとすることを特徴とする電子鍵盤楽器。
【請求項３】
請求項１に記載の電子鍵盤楽器において、
前記鍵盤部の鍵を押鍵すると、少なくともベロシティが前記鍵盤部から出力されるように構成され、更に、ベロシティと待ち時間とを対応付けて記憶した記憶手段を備え、
前記同時押鍵検出手段は、
前記鍵盤部の端の３個の鍵盤の内のいずれか１つが押鍵された後、この押鍵によって前記鍵盤部から出力されたベロシティに対応する待ち時間を前記記憶手段を参照して求め、この求めた待ち時間内に、前記端３個の鍵盤の残りの２鍵の内のいずれか１つが押鍵され、更に、この押鍵によって前記鍵盤部から出力されたベロシティに対応する待ち時間を前記記憶手段を参照して求め、この求めた第２の待ち時間内に、前記端３個の鍵盤の残りの１鍵の押鍵を検出すると、前記同時押鍵状態にあることを検出したとすることを特徴とする電子鍵盤楽器。
【発明の詳細な説明】
【技術分野】
【０００１】
本発明は、複数の鍵を備えた鍵盤部を有して、押鍵に対応する発音動作を行う電子鍵盤楽器の各種音楽パラメータの設定機能（音色設定等の設定）の改良に関する。
【背景技術】
【０００２】
例えば、通常のピアノ演奏に加えて電子音源による演奏をも可能にした複合ピアノにおいて、鍵盤操作によって音色設定等を行えるようにした鍵盤スイッチ装置が提案されていた（例えば、特許文献１参照。）。この装置では、音色等の設定モードの場合には、１２個の鍵（Ｋ１〜Ｋ１２）を押して、その押された鍵Ｋ１〜Ｋ１２に対応する設定処理が行われる。そして、鍵Ｋ１〜Ｋ８は音色設定に関するものであり、押された音色に設定される。また、鍵Ｋ９を押せば、同じように鍵を押しても音量が大きめに出る「Ｈｅａｖｙ」が設定可能な一方、鍵Ｋ１０を押せば、同じように鍵を押しても音量が小さめに出る「Ｌｉｇｈｔ」が設定可能であり、更に、鍵Ｋ１１、Ｋ１２は音の残響音効果の模擬態様の設定が可能に構成されている。
【先行技術文献】
【特許文献】
【０００３】
【特許文献１】特開平７−１０４７４８号公報（第４−６頁、第７図）
【発明の概要】
【発明が解決しようとする課題】
【０００４】
しかしながら、従来の装置にあっては、音色等の設定モードに移行する際には、予め設けているモード切換スイッチを操作することによって、通常の演奏モード（即ち、鍵を押せば押したなりの発音動作が行われるモード）、又は、音色等の設定モードのいずれかを選択するようになっていた。このため、ピアノ楽器等の鍵盤が配置された面上にモード切換スイッチを設けなくてはならず、コスト高を招くと共に、スイッチが多くなってしまいピアノの拡大化等を招いていた。
【０００５】
本発明は、かかる従来の課題を解決するためになされたもので、モード切換のための特別なスイッチを設けることなく音色等の設定が可能な電子鍵盤楽器を提供することを目的とする。
【課題を解決するための手段】
【０００６】
本願発明者等は、鋭意研究の結果、モード切換スイッチのような特別なスイッチを設けずに、鍵盤の押鍵操作のみで音色等の各種の音楽パラメータを設定する設定モードに移行させ、音色設定等を行えるようにした電子鍵盤楽器を提供するに至った。より具体的には、例えば、鍵盤の最上位（右端）又は再下位（左端）の３鍵を同時押鍵状態にすることで音色等の設定モードに移行させ、音色設定を残りの鍵盤で行うことができる電子鍵盤楽器を提供するに至った。これは、通常の演奏では、鍵盤の最上位（右端）又は最下位（左端）の３鍵を同時押鍵状態にすることは殆ど無いことを種々の実験によって確認したからである。
【０００７】
しかし、設定モードに移行する際に、上記３鍵を押鍵することによって通常の演奏では発音されない音が出力されることや、設定モードに移行したことをユーザーに報知しないと操作性が良くないことを突きとめ、これらの点を改良して本願発明に至ったのである。
【０００８】
即ち、上記目的を達成するために、本発明は、複数の鍵盤を直線状に配列した鍵盤部を有して、押鍵された鍵盤に対応する発音動作を行うように構成された電子鍵盤楽器において、
前記鍵盤部の内の特定の複数鍵を同時に押鍵した状態である同時押鍵状態にあることを検出する同時押鍵検出手段と、
前記同時押鍵状態とするのに関与する、前記特定の複数鍵盤の押鍵に対する発音が行われないようにする発音阻止手段と、
前記同時押鍵検出手段が前記同時押鍵状態を検出した場合に、発音の音色設定を含む各種の音楽パラメータの設定が可能な設定モードに移行したことを、押鍵操作によって発音される音とは異なる電子音で通知する通知手段と、を備え、
前記同時押鍵検出手段は、
前記特定の複数鍵の内のいずれかの鍵が押鍵された後に所定期間が経過したか否かを判定する判定機能と、
この所定間内の前記特定の複数鍵の残りの鍵が押鍵された場合に前記同時押鍵状態か否かを判定する処理を継続させる一方、これ以外の場合にはもはや同時押鍵状態にないとする処理を継続する処理制御機能と、
前記処理制御機能により継続される前記同時押鍵状態にないとする処理として、少なくとも、前記発音阻止手段によって前記発音阻止状態とされた当該発音阻止状態を解除して発音させる、発音阻止状態解除機能と、を含み、
前記同時押鍵検出手段が前記同時押鍵状態を検出した場合に前記設定モードに移行させる一方、この同時押鍵状態にあるいずれかの鍵が離鍵された場合に通常の押鍵発音動作を行う通常演奏モードに復帰させ、
前記設定モードにおいては、前記鍵盤部の鍵盤を押鍵操作することによって、前記音色設定を含む各種の音楽パラメータの設定操作を行えるように構成したことを特徴とするようにした。
【０００９】
この発明によれば、同時押鍵検出手段が同時押鍵状態を検出した場合に、発音の音色設定を含む各種の音楽パラメータの設定が可能な設定モードに移行させる。一方、この同時押鍵状態にあるいずれかの鍵が離鍵された場合に通常の押鍵発音を行う通常演奏モードに復帰させる。そして、設定モードにおいては、鍵盤部の鍵盤を押鍵操作することによって、音色設定を含む所要の設定操作を行えるようにしたので、モード切換スイッチのような特別なスイッチを設けずに、鍵盤の押鍵操作のみで音色等の各種の音楽パラメータを設定する設定モードに移行させ、音色設定等を行えるようになる。
【００１１】
また、上記電子鍵盤楽器において、前記同時押鍵検出手段を、前記鍵盤部の端の３個の鍵盤の内のいずれか１つが押鍵された後、第１の期間内（好ましくは１０（ｍｓｅｃ））に、前記端３個の鍵盤の残りの２鍵の内のいずれか１つが押鍵され、更に、この押鍵から第２の期間内（好ましくは１０（ｍｓｅｃ））に、前記端３個の鍵盤の残りの１鍵の押鍵を検出すると、前記同時押鍵状態にあることを検出したとする構成とすることできる。
【００１２】
さらに、上記電子鍵盤楽器において、前記鍵盤部の鍵を押鍵すると、少なくともベロシティが前記鍵盤部から出力されるように構成され、更に、ベロシティと待ち時間とを対応付けて記憶した記憶手段を備え、前記同時押鍵検出手段を、前記鍵盤部の前記所定の複数個の鍵盤の内のいずれか１つが押鍵された後、この押鍵によって前記鍵盤部から出力されたベロシティに対応する待ち時間を前記記憶手段を参照して求め、この求めた待ち時間内に、前記所定の複数個の鍵盤の残りの鍵の内のいずれか１つが押鍵され、更に、この押鍵によって前記鍵盤部から出力されたベロシティに対応する待ち時間を前記記憶手段を参照して求め、この求めた第２の待ち時間内に、前記所定の複数個の鍵盤の残りの「所定の複数個−２個」の鍵の押鍵を検出し、という処理を前記所定の複数個の鍵盤の残りの鍵が１個になるまで繰り返して行って、前記同時押鍵状態にあることを検出したとする構成とすることができる。具体的には、上記電子鍵盤楽器において、前記鍵盤部の鍵を押鍵すると、少なくともベロシティが前記鍵盤部から出力されるように構成され、更に、ベロシティと待ち時間とを対応付けて記憶した記憶手段を備えて、前記同時押鍵検出手段を、前記鍵盤部の端の３個の鍵盤の内のいずれか１つが押鍵された後、この押鍵によって前記鍵盤部から出力されたベロシティに対応する待ち時間を前記記憶手段を参照して求め、この求めた待ち時間内に、前記端３個の鍵盤の残りの２鍵の内のいずれか１つが押鍵され、更に、この押鍵によって前記鍵盤部から出力されたベロシティに対応する待ち時間を前記記憶手段を参照して求め、この求めた第２の待ち時間内に、前記端３個の鍵盤の残りの１鍵の押鍵を検出すると、前記同時押鍵状態にあることを検出したとする構成とすることで、端３鍵の押鍵速度が遅くても、設定モードに移行させることができる。即ち、ゆっくり押鍵してもモード移行できるように考慮した電子鍵盤楽器を実現することができる。
【発明の効果】
【００１３】
本発明によれば、モード切換のための特別なスイッチを設けることなく音色等の設定が可能な電子鍵盤楽器を提供することが可能になるという効果が得られる。
【図面の簡単な説明】
【００１４】
【図１】電子鍵盤楽器１の構成図である。
【図２】鍵盤部１０の右端部分の説明図である。
【図３】動作を説明するフローチャートである。
【図４】電子鍵盤楽器２の構成図である。
【図５】テーブル記憶部７０に記憶されるテーブルの説明図である。
【図６】動作の説明図である。
【発明を実施するための形態】
【００１５】
以下、本発明を実施の形態について図面を参照しつつ説明する。
【００１６】
（構成）
図１は本発明の実施形態の電子鍵盤楽器１のブロック構成図である。この電子鍵盤楽器１は、鍵盤部１０と、制御部２０と、音源部３０と、アンプ４０と、スピーカー５０とを有して構成される。鍵盤部１０は、複数個（例えば８８個）の鍵盤を直線上に横方向に配列したものであり、それぞれの鍵を押鍵することによって、対応するノート番号（音程情報）が制御部２０に出力されるようになっている。制御部２０は、与えられたノート番号に対応する発音動作が行われるように音源部３０を駆動制御する。そして、音源部３０から出力された楽音信号はアンプ部４０によって増幅され、スピーカー５０を介して放音される構成となっている。かくして、この電子鍵盤楽器１は、複数の鍵盤を直線状に配列した鍵盤部１０を有して押鍵された鍵盤に対応する発音動作を行うように、つまり通常演奏可能に構成されている。なお、制御部２０は、例えばＣＰＵがＲＯＭ等の記録媒体に記録されたプログラムをＲＡＭをワークエリアとして使用しながら実行することによって一連の動作が行えるようになっている。
【００１７】
図２は鍵盤部１０の右端（ＲＥ）の部分の模式的平面図である。右端から、白鍵、黒鍵の区別なく右端（ＲＥ）から３個の鍵を符号Ｋ１、Ｋ２、Ｋ３で示している。そして、この電子鍵盤楽器１にあっては、この３鍵（図中では鍵を「Ｋｅｙ」とも記す）Ｋ１、Ｋ２、Ｋ３を同時に押鍵した状態が検出されると、通常の演奏モードから音色設定モードに移行する。逆に、同時押鍵状態にある３鍵Ｋ１、Ｋ２、Ｋ３の内のいずれかが離鍵状態となると、音色設定モードから通常演奏モードに復帰する。なお、この３鍵を不図示の左端（下位）３鍵とすることもできるし、片手操作を想定すると、鍵数は２個以上５個までであれば良い。但し、各種の実験結果から３鍵とすれば確実、かつ、操作性良くモード移行操作を行えることを確認している。また、設定モードにおいては、音色設定の他、残響音の残響時間設定や発音音量等の各種の音楽パラメータの設定を行うようにすることも可能である。
【００１８】
音色設定において、右端３鍵Ｋ１、Ｋ２、Ｋ３を設定モード移行操作に用いた構成とする場合、例えば、左手で１番左端の鍵盤を押鍵操作すると「ギターの音色設定」、次に右側に隣接している鍵を（左端から２番目の鍵）押鍵操作すると「バイオリンの音色設定」、次に右側に隣接している鍵を（左端から３番目の鍵）押鍵操作すると「ドラムの音色設定」…、として押鍵操作のみで音色設定が可能にすることができる。
【００１９】
（動作）
次に図３を参照して全体動作を説明する。なお、通常演奏の場合には、押鍵した鍵に対応する発音動作が行われるのは上述した通りである。今、図２の鍵Ｋ１、Ｋ２、Ｋ３の順番で押鍵する場合を想定して説明する。先ず、ステップＳ３００において、通常演奏モードにおいて、右端３鍵の内の１つ目の鍵Ｋ１（以下、図中では「Ｋｅｙ」とも記す）が押鍵（「打鍵」とも記す）されたことを制御部２０が検出すると、制御部２０は、ステップＳ３０５において、この１つ目の鍵Ｋ１に対しての発音動作を行わせないようにする。なお、鍵Ｋ１は押鍵された状態を維持している。次いで、ステップＳ３１０において、制御部２０が、１つ目の押鍵（鍵Ｋ１の押鍵）から１０（ｍｓｅｃ）が経過したか否かを判定する。経過したと判定した場合（Ｙｅｓ）、１つ目の押鍵からかなり時間が経過し同時押鍵状態となり得ないとして、ステップＳ３１５において、右端の３鍵の内の押鍵された１つ目の鍵Ｋ１に対応する音がスピーカー５０から放音されるように、制御部２０は音源部３０を駆動制御する。一方、ステップＳ３１０において、１０（ｍｓｅｃ）経過していないと判定された場合（Ｎｏ）には、同時押鍵状態となる可能性があるため、ステップＳ３２０において、次に押鍵されたのは右端の３鍵の内の２つ目（鍵Ｋ２）であるか否かを判定する。
【００２０】
押鍵されたのが鍵Ｋ２でないと判定された場合（Ｎｏ）には、ステップＳ３２５において、１つ目の鍵Ｋ１と今回押鍵された鍵Ｋ２とに対応する音がスピーカー５０から放音されるように、制御部２０が音源部３０を駆動制御する。一方、押鍵されたのが鍵Ｋ２であると判定された場合（Ｙｅｓ）には、ステップＳ３３０に移行して、いまだ同時押鍵状態となる可能性があるため、制御部２０は、この２つ目の鍵Ｋ２に対しての発音動作を行わせないようにする。なお、鍵Ｋ２は押鍵された状態を維持している。次に、ステップＳ３３５において、制御部２０が、２つ目の押鍵から１０（ｍｓｅｃ）が経過したか否かを判定する。経過したと判定した場合（Ｙｅｓ）、両押鍵（鍵Ｋ１鍵ｋ２の押鍵）の時間がかなり経過し同時押鍵状態ではないとして、ステップＳ３５０に移行し、右端の３鍵の内の押鍵された１つ目の鍵Ｋ１と２つ目の鍵Ｋ２とに対応する音がスピーカー５０から放音されるように、制御部２０が音源部３０を駆動制御する。一方、ステップＳ３３５において、１０（ｍｓｅｃ）経過していないと判定された場合（Ｎｏ）には、いまだ同時押鍵状態となる可能性があるため、ステップＳ３４０において、次に押鍵されたのは右端の３鍵の内の３つ目（鍵Ｋ３）であるか否かを判定する。
【００２１】
ステップＳ３４０において、今回押鍵されたのが３つ目の鍵Ｋ３でないと判定した場合（Ｎｏ）、ステップＳ３５０において、右端３鍵以外に３つ目に押鍵された鍵（ステップＳ３４０において押鍵された鍵）に対する発音動作も行い、その後、ステップＳ３００の「右端３鍵のうちの１つ目の鍵の押鍵検出」が行われるのを待つウエイト状態とする。一方、ステップＳ３４０において、今回押鍵されたのが３つ目の鍵Ｋ３であると判定した場合（Ｙｅｓ）には、制御部２０は、ステップＳ３４５において、この鍵３に対する発音動作を行わないようにする。そして、ステップＳ３５５に進み、制御部２０は、モードを通常演奏モードから音色設定モード（ファンクションモード）に移行させる。つまり、鍵Ｋ３は押鍵された状態を維持しているため、鍵Ｋ１、鍵Ｋ２、鍵Ｋ３の３鍵が同時押鍵状態となっており、この状態になった場合に音色設定モードに移行する。
【００２２】
そして、制御部２０は、音色設定モードに移行したことをいずれの鍵の押鍵操作によって発音される音とも異なる音（例えば「ピッ」という電子音）での発音でユーザーに通知する（確認音発音）ように、音源部３０に対して「確認音発音指示信号」を供給して駆動制御するので、ユーザーは違和感無く設定モードに移行したことを把握することが可能となる。そして、図３には図示しないが、制御部２０は、同時押鍵状態にある右端３鍵Ｋ１、Ｋ２、Ｋ３のいずれかの鍵が離鍵状態となると、モードを設定モードから通常演奏モードに復帰させるように動作制御を行う。このように、本実施形態においては、鍵盤部１０の右端の３個の鍵盤の内のいずれか１つが押鍵された後、１０（ｍｓｅｃ）（第１の期間）内に、右端３個の鍵盤の残りの２鍵の内のいずれか１つが押鍵され、更に、この押鍵から１０（ｍｓｅｃ）（第２の期間）内に、右端３個の鍵盤の残りの１鍵の押鍵を検出することで、３個の鍵が同時押鍵状態にあると判断しているが、実際の実験結果においてもこのアルゴリズムの適格性は確認している。
【００２３】
以上のように、鍵盤部１０が備える右端３個の鍵盤を同時に押鍵した状態、つまり、同時押鍵状態にあることを検出した場合に、発音の音色設定を含む各種の音楽パラメータの設定が可能な設定モードに移行させる一方、この同時押鍵状態にあるいずれかの鍵が離鍵された場合に通常の押鍵発音を行う通常演奏モードに復帰させる。そして設定モードにおいては、鍵盤部１０の鍵盤を押鍵操作することによって、音色設定等の設定操作を行えるようにしたので、モード切換スイッチのような特別なスイッチを設けずに、鍵盤の押鍵操作のみで音色等の各種のパラメータを設定する設定モードに移行させ、音色設定等を行えるようになる。また、ステップＳ３０５、ステップＳ３３０、ステップＳ３４５における不発音処理によって、同時押鍵状態とすることに関与した右端３鍵の押鍵操作によって通常の演奏では発音されない音が出力されることがある違和感を解消させることができる。なお、上記の動作説明においては鍵Ｋ１、Ｋ２、Ｋ３の順番で押鍵することを想定しているが、この３鍵が同時押鍵状態にあることを検出できればモード移行が行われるので、この３鍵Ｋ１、Ｋ２、Ｋ３における押鍵順番には限定は無い。
【００２４】
（他の構成例）
図４は他の構成の電子鍵盤楽器２の構成図であり、この構成においては、たとえ押鍵操作がゆっくりであっても、この３回の押鍵が予め設定した所定期間内に入らないとして設定モードへの移行を行わないのではなく、このような場合にあっても、設定モードへの移行が可能なように考慮している点に特徴がある。この電子鍵盤楽器２は、鍵盤部１０と、同時押し検出部６０と、制御部２０と、音源部３０と、アンプ部４０と、スピーカー５０と、テーブル記憶部７０とを有して構成されている。なお、図１と同一符号のものの機能等は基本的に同じものである。但し、鍵盤部１０からは、押鍵に応じたノート番号に加えてそのベロシティ（ＭＩＤＩ規格で「１」から「１２７」までの数値）が出力されるようになっている。ベロシティとは鍵を押す時の速さである押鍵速度である。
【００２５】
また、テーブル記憶部７０にはテーブルが格納されており、図５はそのテーブルの説明図である。横軸の「ベロシティ」（数値「１」から「１２７」）に対して縦軸に「待ち時間」が対応して設定されている。この例では、ベロシティが「１」から「６４」までは、待ち時間が「３０（ｍｓｅｃ）」であり、また、ベロシティ「６４」を超えると、待ち時間は「１０（ｍｓｅｃ）」となる例である。このように、ベロシティが小さな程「待ち時間」が大きくなるように、換言すれば、ベロシティが大きな程「待ち時間」が小さくなるように、ベロシティと待ち時間との対応付けを行う。
【００２６】
今、図６（横軸「ｔ」は時間軸を示す）に示すように第１の押鍵（鍵Ｋ１の押鍵）があって、そのベロシティが「７０」であると、同時押し検出部６０が判定すると、テーブル記憶部７０のテーブルを参照して、このベロシティ「７０」に対応する待ち時間を「１０（ｍｓｅｃ）」と求める。そして、同時押し検出部６０は、第２の押鍵（鍵Ｋ２の押鍵）までの時間Ｔ１が、この求めた待ち時間「１０（ｍｓｅｃ）」以内であれば、２鍵Ｋ１、Ｋ２が同時押鍵状態にあると判定する。次いで、同時押し検出部６０は、第２の押鍵（鍵Ｋ２の押鍵）があって、そのベロシティが「６０」であることを把握すると、テーブル記憶部７０のテーブルを参照して、このベロシティ「６０」に対応する待ち時間を「３０（ｍｓｅｃ）」と求める。そして、同時押し検出部６０は、第２の押鍵から第３の押鍵（鍵Ｋ３の押鍵）までの時間Ｔ２が、この求めた待ち時間「３０（ｍｓｅｃ）」以内であれば、３鍵Ｋ１、Ｋ２、Ｋ３が同時押鍵状態にあると判定する。なお、同時押し検出部３０は、音色設定モードに移行したことをいずれの鍵の押鍵操作によって発音される音とも異なる音での発音でユーザーに通知する（確認音発音）ように、音源部３０に対して「確認音発音指示信号」を供給して駆動制御するので、ユーザーは違和感無く設定モードに移行したことを把握することが可能となる。
【００２７】
かくして、鍵盤部１０の右端の３個の鍵盤の内のいずれか１つが押鍵された後、この押鍵によって鍵盤部１０から出力されたベロシティに対応する待ち時間をテーブル記憶部７０（記憶手段）を参照して求め、この求めた待ち時間内に、右端３個の鍵盤の残りの２鍵の内のいずれか１つが押鍵され、更に、この押鍵によって鍵盤部１０から出力されたベロシティに対応する待ち時間をテーブル記憶部７０を参照して求め、この求めた第２の待ち時間内に、右端３個の鍵盤の残りの１鍵の押鍵を検出すると、鍵盤部１０の右端３個の鍵が同時押鍵状態にあることを検出したとするので、右端３鍵の押鍵速度が遅くても、これを無視せずに、設定モードに移行させることができる。即ち、ベロシティが小さな程、待ち時間を大きくとっているので、ゆっくり押鍵してもモード移行できるように考慮した電子鍵盤楽器を実現することができる。もちろん、右端３鍵ではなく左端３鍵を対象としても良い。
【００２８】
以上の説明では、右端（又は左端）３鍵をモード移行操作の対象としたが、片手の場合５鍵以内であれば３鍵にこだわる必要は無く、また、連続した鍵ではなく、１個以上鍵を飛ばす事なども理論上可能である。
【産業上の利用可能性】
【００２９】
以上説明してきたように、本発明は、複数の鍵を備えた鍵盤部を有して押鍵に対応する発音動作を行う電子鍵盤楽器の音色設定等に利用することができる。
【符号の説明】
【００３０】
１  電子鍵盤楽器
２  電子鍵盤楽器
１０  鍵盤部
２０  制御部
３０  音源部
４０  アンプ部
５０  スピーカー
６０  同時押し検出部
７０  テーブル記憶部
【図１】
0005555912.tif 000002
【図２】
0005555912.tif 000003
【図３】
0005555912.tif 000004
【図４】
0005555912.tif 000005
【図５】
0005555912.tif 000006
【図６】
0005555912.tif 000007